(57)【要約】【課題】  従来の電球が本体の内側に配置される組み立て式の照明器具は、本体とカバーが外れやすい問題や、本体とカバーがネジで締結され電球交換時に手間がかかるという問題があった。【解決手段】  本体とカバーそれぞれの一部に本体とカバーをつなぐ固定用部品が水平横方向から挿入できる空間を設け、本体にカバーを被せた状態で該空間に固定用部品を水平横方向から挿入することで固定できる構造とした。これにより電球交換時は固定用部品を引いて外すことで本体とカバーを分離できるため、使用者の手間を省くことができる。また固定用部品が本体とカバーの空間を埋める効果を発揮するため、外見上固定用部品は本体とカバーを構成する部品の一部を成し、固定用部品を目立たなくすることができた。【選択図】図２
2018098157.tif 000002
【特許請求の範囲】
【請求項１】
本体を構成する本体構成部品と、カバーを構成するカバー構成部品と、ソケットを固定し本体構造に組み合わせる部品と、本体とカバーを固定するための固定用部品と、ソケットで構成される組み立て式の照明器具において、本体にカバーを被せた状態で、固定用部品を水平横方向から差し込むことで本体とカバーを固定することができる構成を特徴とする、組み立て式の照明器具。
【請求項２】
本体とカバーとを固定用部品を水平横から差し込み固定する構成において、本体とカバーのそれぞれと固定するための部品が合わさる面の一部表面に削り加工を施した請求項１の照明器具。
【発明の詳細な説明】
【技術分野】
【０００１】  本発明は、一般家庭用の組み立て式の照明器具の構造に関する。
【背景技術】
【０００２】  従来の組み立て式の照明器具（例えば非特許文献１参照。）は、構造内部に配置されている電球を交換しやすくするために、本体にカバーをはめ込む構造がある（例えば非特許文献１参照。）。また、本体に埋め込み式の雌ネジを埋め込むことでカバーをネジ止めする方法を採用しているものもある（例えば非特許文献２参照。）。
【先行技術文献】
【非特許文献】
【０００３】
【非特許文献１】石丸紀人（２０１６）  「そうだ、ランプを作ろう！！」＜ｈｔｔｐ：／／ｍａｋｅｒｓｌｏｖｅ．ｃｏｍ／１２５７６．ｈｔｍｌ＞２０１６年１１月１０日アクセス
【非特許文献２】佐々木康友（２０１６）  「レーザーで製品レベルの構造を作る！３つのポイントを公開します」＜ｈｔｔｐ：／／ｍａｋｅｒｓｌｏｖｅ．ｃｏｍ／１４２０３．ｈｔｍｌ＞２０１６年１２月６日アクセス
【発明の概要】
【発明が解決しようとする課題】
【０００４】  以上に述べた従来のカバーを外すための構造をもつ組み立て式の照明器具は、本体とカバーとを固定する方法が上下方向の嵌め合いで固定するものや、ネジ留めで固定するものがある。上下方向の嵌め合いで固定する場合、組み立て式の照明器具では板厚により支持部の長さが決まり、板厚が薄いと上下方向からの引っ張りの力に弱くカバーが外れやすい構造であった。また、ネジ留めで固定する場合、電球を交換する際にネジを外す手間や時間がかかる構造であった。【０００５】  本発明は、このような従来の構造が有していた問題を解決しようとするものであり、本体とカバーを構造的に固定し、また本体からカバーを外す際に手間がかからない組み立て式の照明器具を実現することを目的とするものである。
【課題を解決するための手段】
【０００６】  本発明は上記目的を達成させるため本体構成部品で構成した本体とカバー構成部品で構成したカバーとを、本体とカバーそれぞれの部品を跨ぐような形状の固定用部品を本体にカバーを被せた際にできる空間へ水平横方向から差し込み固定するように構成したものである。本体からカバーを外す際は、固定用部品を固定した時とは反対の水平横方向に引けば取り外しが可能になる。【０００７】  また、本体とカバーそれぞれと固定用部品が組み合わさる合わせ面部分の本体構成部品とカバー構成部品の表面に一部削り加工を施して摩擦面積を減らし、固定用部品が取り外ししやすく構成した。同時に削り加工を上記の合わせ面部分から他の組み合わせ部分にかからない程度の範囲に広げ施すことで、固定用部品が取り外せる箇所が外から視認できるため、カバーの取り外しがさらに容易になるように構成した。
【発明の効果】
【０００８】  上述したように本発明の組み立て式の照明器具は、カバーのみを支持し上方へ持ち上げても本体とカバーが分離せず、照明器具の移動を安全に行うことができる。使用者の方が本体内部に配置されている電球を交換する際は、本体とカバーをつなぐ固定用部品を水平横方向に引いて外すことで本体とカバーが分離可能になるため、電球の交換を容易に行うことができる。【０００９】    また、固定用部品が組み合わさる本体構成部品とカバー構成部品のそれぞれ合わせ面部分の表面に削り加工を施してあるため、削り加工がない場合と比べ使用者の方がより少ない力で固定用部品を取り外すことができ、使用者の方は本体からカバーを前述に加えより取り外しがしやすく、電球の交換を容易にする効果を発揮するものである。さらに固定用部品が組み合わさる本体側部品とカバー側部品の削り加工を施す部分を固定用部品が組み合わさる部分の周囲にも施してあるため、固定用部品の位置が視認しやすく、使用者の方は容易に固定用部品が配置されている箇所を認識できる効果を発揮する。
【図面の簡単な説明】
【００１０】
【図１】  本発明の実施形態を示す組み立て式の照明器具を斜め先端側から見た斜視図
【図２】  同照明器具の固定用部品を取り外した様子を斜め先端側から見た斜視図
【図３】  同照明器具の固定用部品を取り外し、本体からカバーを外した様子を斜め先端側から見た斜視図
【発明を実施するための形態】
【００１１】  以下、本発明の実施の形態を図１〜図３に基づいて説明する。なお、各図中の同一する要素は同一の符号を付し、簡略化する。図３においては発明の実施形態に関する要素のみに符号を付して簡略化、省略する。
【００１２】  図においては、１Ａ〜１Ｈは本体構成部品（縦）、２Ａ〜２Ｇは本体構成部品（横）、３Ａ〜３Ｅは本体構成部品（縦）の１Ａに組み合わすための本体構成部品（翼型）、４Ａ〜４Ｃはカバー構成部品（縦）、５Ａ〜５Ｄはカバー構成部品（横）、６は固定用部品、７は電球を配置するソケットである。以下の説明では、本体構成部品（縦）を「本体（縦）」、本体構成部品（横）を「本体（横）」、本体組み立て用部品（翼型）を「本体（翼型）」、カバー構成部品（縦）を「カバー（縦）」、カバー構成部品（横）を「カバー（横）」と呼称する。
【００１３】  図１において本発明の実施するための形態を述べる。あらかじめソケットを本体（横）の２Ｃに固定しておき、１Ａ〜１Ｈの本体（縦）と２Ａ〜２Ｇの本体（横）と３Ａ〜３Ｅの本体（翼型）で構成された本体に、４Ａ〜４Ｃのカバー（縦）と５Ａ〜５Ｄのカバー（横）で構成されたカバーを被せた状態で、固定用部品６を本体（縦）の２Ｂまたはカバー（縦）の４Ｂの間に設けられた空間に本体（横）の２Ａとカバー（横）の５Ａを跨ぐように水平横方向からそれぞれ組み付けると本体とカバーが固定され、この組み立て式の照明器具は完成する。水平横方向から組み合わさることで上下方向からの引っ張り力が及んでもカバーが外れにくく、使用者の方が安全に使用することができる。本照明器具を移動する際にはカバーを支持して移動させることもできる。またカバーを取り外す際は固定用部品６を外すだけで本体からカバーが外せるようになる。
【００１４】  本体（横）の２Ａとカバー（横）の５Ａには、固定用部品６が組み合わさる箇所に一部削り加工が施してあり、摩擦が少なくなることによって固定用部品６の組み外しがよりしやすく、使用者の方がカバーを取り外す際に効果を発揮するものである。また、削り加工が組み合わされる面の周囲にも及んでいるため、固定用部品６を取り外せる箇所が視認しやすく、使用者の方がカバーを取り外す際の目印となる効果を発揮する。
【００１５】  本発明を実施するための形態として必要な要素として、図中の本体（縦）のような部品と本体（横）のような部品をそれぞれ任意の数、カバー（縦）のような部品とカバー（横）のような部品をそれぞれ任意の数、６の固定用部品、７のソケットがあれば実施可能である。その際、本体（横）もしくはカバー（横）のような部品にソケットが固定されていることは本発明が組み立て式の照明器具である故、加えて構造上必要な要素である。図中に記されているそのほかの要素については本発明において用をなさない要素であり、図は本発明を実施した形態の一つの例として表現されているものである。
【００１６】  本発明の図ではソケットを中心に同心円で囲むような構成が示されているが、本発明はこのような形状の場合にのみ限定されるものではない。例えばソケットを中心に正方形で囲むような構造の場合や、ソケットが任意の形状の中心から外れているような場合であっても適用が可能である。また本発明は、電球がカバーで覆われていないシェードのような開いた構造の場合でも適用が可能である。
【符号の説明】
【００１７】  １Ａ，１Ｂ，１Ｃ  本体構成部品（縦）、２Ａ，２Ｂ，２Ｃ，２Ｄ  本体構成部品（横）、４Ａ，４Ｂ，４Ｃ  カバー構成部品（縦）、５Ａ，５Ｂ，５Ｃ，５Ｄ  カバー構成部品（横）、６  固定用部品、７  ソケット
【図１】
2018098157.tif 000003
【図２】
2018098157.tif 000004
【図３】
2018098157.tif 000005
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
本体を構成する本体構成部品と、カバーを構成するカバー構成部品と、ソケットを固定し本体構造に組み合わせる部品と、本体とカバーを固定するための固定用部品と、ソケットで構成される組み立て式の照明器具において、本体にカバーを被せた状態では本体構成部品（縦）とカバー構成部品（縦）との間に一部空間が形成され、その空間が形成された箇所に固定用部品を本体構成部品（横）とカバー構成部品（横）とを跨ぐように水平横方向から差し込むことで本体とカバーを固定することができる構成を特徴とする、組み立て式の照明器具。